【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
被検体から発生した音響波に基づいた強度依存三次元画像データを取得し、
前記被検体から発生した音響波に基づいた強度非依存三次元画像データを取得し、
投影面に投影するボクセル座標を、前記強度依存三次元画像データに基づいて決定し、
前記ボクセル座標に対応する前記強度非依存三次元画像データを前記投影面に投影することにより、投影画像データを取得する、処理手段を備える
ことを特徴とする被検体情報取得装置。
【請求項２】
前記処理手段は、前記投影画像データを取得するときの投影方向にあるボクセルから、前記強度依存三次元画像データの値が最大となるボクセルを選択することにより、前記ボクセル座標を決定する
ことを特徴とする請求項１に記載の被検体情報取得装置。
【請求項３】
前記処理手段は、前記強度依存三次元画像データにおいて、前記被検体の内部の測定対象の画像に対応するボクセルを選択することにより、前記ボクセル座標を決定する
ことを特徴とする請求項１に記載の被検体情報取得装置。
【請求項４】
前記処理手段は、前記強度依存三次元画像データの値が所定の閾値よりも大きいボクセルを選択することにより、前記ボクセル座標を決定する
ことを特徴とする請求項１に記載の被検体情報取得装置。
【請求項５】
前記処理手段は、前記ボクセル座標に対応する前記強度依存三次元画像データを色相、明度、および、彩度のいずれかに割り当て、前記ボクセル座標に対応する前記強度非依存三次元画像データを色相、明度、および、彩度のうち前記強度依存三次元画像データを割り当てていないもののいずれかに割り当てることにより、前記投影画像データを取得することを特徴とする請求項１から４のいずれか１項に記載の被検体情報取得装置。
【請求項６】
前記処理手段は、前記ボクセル座標に対応する前記強度依存三次元画像データを明度に割り当て、前記ボクセル座標に対応する前記強度非依存三次元画像データを色相または彩度に割り当てることにより、前記投影画像データを取得する
ことを特徴とする請求項１から４のいずれか１項に記載の被検体情報取得装置。
【請求項７】
前記処理手段は、ユーザーからの指示に基づいて、投影方向におけるボクセルの範囲を決定する
ことを特徴とする請求項１から６のいずれか１項に記載の被検体情報取得装置。
【請求項８】
前記処理手段は、前記投影方向におけるボクセルの範囲をずらすことにより、複数の投影画像データを取得する
ことを特徴とする請求項７に記載の被検体情報取得装置。
【請求項９】
前記処理手段は、前記投影方向におけるボクセルの範囲を１ボクセルずつずらすことにより、複数の投影画像データを取得する、
ことを特徴とする請求項７に記載の被検体情報取得装置。
【請求項１０】
前記処理手段は、前記複数の投影画像データを用いて三次元画像データを取得する
ことを特徴とする請求項８または９に記載の被検体情報取得装置。
【請求項１１】
前記処理手段は、前記強度依存三次元画像データの座標系と、前記強度非依存三次元画像データの座標系を対応させる
ことを特徴とする請求項１から１０のいずれか１項に記載の被検体情報取得装置。
【請求項１２】
前記強度依存三次元画像データは、値に応じて前記被検体の内部の測定対象の像とノイズを判別できるデータであり、前記強度非依存三次元画像データは、値に応じて前記測定対象の像とノイズを判別することが困難なデータである
ことを特徴とする請求項１から１１のいずれか１項に記載の被検体情報取得装置。
【請求項１３】
前記強度依存三次元画像データは、初期音圧分布、光エネルギー吸収密度分布、吸収係数分布、および、Ｂモード画像、のいずれかであり、前記強度非依存三次元画像データは、前記被検体を構成する物質の存在比率の分布、および、カラードプラ画像データのいずれかである
ことを特徴とする請求項１から１１のいずれか１項に記載の被検体情報取得装置。
【請求項１４】
前記被検体を構成する物質の存在比率の分布とは、酸素飽和度分布である
ことを特徴とする請求項１３に記載の被検体情報取得装置。
【請求項１５】
前記処理手段は、前記投影画像データを表示手段に表示させる
ことを特徴とする請求項１から１４のいずれか１項に記載の被検体情報取得装置。
【請求項１６】
前記投影面は二次元平面である
ことを特徴とする請求項１から１５のいずれか１項に記載の被検体情報取得装置。
【請求項１７】
前記被検体に光を照射する光源と、
前記音響波を複数の測定位置で受信する受信手段と、
をさらに備え、
前記受信手段は、前記光源から発した前記光により照射された前記被検体から発生した前記音響波を受信し、
前記強度依存三次元画像データは、初期音圧分布、光エネルギー吸収密度分布、および、吸収係数分布のいずれかであり、
前記強度非依存三次元画像データは、前記被検体を構成する物質の存在比率の分布である
ことを特徴とする請求項１から１１のいずれか１項に記載の被検体情報取得装置。
【請求項１８】
前記被検体を構成する物質の存在比率の分布とは、酸素飽和度分布である
ことを特徴とする請求項１７に記載の被検体情報取得装置。
【請求項１９】
被検体から発生した音響波に基づいた強度依存三次元画像データを取得するステップと、
前記被検体から発生した音響波に基づいた強度非依存三次元画像データを取得するステップと、
投影面に投影するボクセル座標を、前記強度依存三次元画像データに基づいて決定するステップと、
前記ボクセル座標に対応する前記強度非依存三次元画像データを前記投影面に投影することにより、投影画像データを取得するステップと、
を有することを特徴とする被検体情報取得方法。
【請求項２０】
被検体から発生した音響波に基づいた強度依存三次元画像データを取得するステップと、
前記被検体から発生した音響波に基づいた強度非依存三次元画像データを取得するステップと、
投影面に投影するボクセル座標を、前記強度依存三次元画像データに基づいて決定するステップと、
前記ボクセル座標に対応する前記強度非依存三次元画像データを前記投影面に投影することにより、投影画像データを取得するステップと、
を情報処理装置に実行させることを特徴とするプログラム。
【手続補正２】
【補正対象書類名】明細書
【補正対象項目名】発明の名称
【補正方法】変更
【補正の内容】
【発明の名称】被検体情報取得装置、被検体情報取得方法、および、プログラム
【手続補正３】
【補正対象書類名】明細書
【補正対象項目名】０００１
【補正方法】変更
【補正の内容】
【０００１】
本発明は、被検体情報取得装置、被検体情報取得方法、および、プログラムに関する。
【手続補正４】
【補正対象書類名】明細書
【補正対象項目名】００１７
【補正方法】変更
【補正の内容】
【００１７】
本発明は以下の構成を採用する。すなわち、
被検体から発生した音響波に基づいた強度依存三次元画像データを取得し、
前記被検体から発生した音響波に基づいた強度非依存三次元画像データを取得し、
投影面に投影するボクセル座標を、前記強度依存三次元画像データに基づいて決定し、
前記ボクセル座標に対応する前記強度非依存三次元画像データを前記投影面に投影することにより、投影画像データを取得する、処理手段を備える
ことを特徴とする被検体情報取得装置である。
本発明はまた、以下の構成を採用する。すなわち、
被検体から発生した音響波に基づいた強度依存三次元画像データを取得するステップと、
前記被検体から発生した音響波に基づいた強度非依存三次元画像データを取得するステップと、
投影面に投影するボクセル座標を、前記強度依存三次元画像データに基づいて決定するステップと、
前記ボクセル座標に対応する前記強度非依存三次元画像データを前記投影面に投影することにより、投影画像データを取得するステップと、
を有することを特徴とする被検体情報取得方法である。
本発明はまた、以下の構成を採用する。すなわち、
被検体から発生した音響波に基づいた強度依存三次元画像データを取得するステップと、
前記被検体から発生した音響波に基づいた強度非依存三次元画像データを取得するステップと、
投影面に投影するボクセル座標を、前記強度依存三次元画像データに基づいて決定するステップと、
前記ボクセル座標に対応する前記強度非依存三次元画像データを前記投影面に投影することにより、投影画像データを取得するステップと、
を情報処理装置に実行させることを特徴とするプログラムである。